(57)【要約】 【課題】   配電盤のケーブル区画内を安全に点検できる、構成の簡単な機械的なインターロック装置を提供する【解決手段】ケーブル及び接地スイッチとを収納した扉３ａ付のケーブル区画３と引出型遮断器を収納した扉１ａ付きの遮断器区画１を有する配電盤において、接地スイッチをＯＮ／ＯＦＦする接地スイッチ操作シャフト３６を遮断器区画に収納し、扉１ａの閉鎖状態でなければ遮断器本体１７を断路位置に移動するとともに接地スイッチ１３をＯＮにすることができず、遮断器本体１７が断路位置にあり接地スイッチ１３がＯＮでなければ扉１ａを開放できないこととし、扉１ａが開放状態において接地スイッチ１３をＯＦＦにすることができず、扉１ａを開放状態においてロックするキーロック本体３７、キー３８及びロックピン３９からなるキーロック機構のキー３８をロック状態でのみ着脱可能とし、キー３８をケーブル区画のキーロック機構のキーと共用とする。【選択図】 図１
2006149043.tif 000002
【特許請求の範囲】
【請求項１】
電路中の外部電源装置及び外部負荷装置のうちのいずれか一方の外部装置が接続される導帯を収納した母線区画と、
前記導帯が接続される端子及び前記外部装置のうちのいずれか他方の外部装置に接続されるケーブルが接続される端子とを有する引出型遮断器を収納した扉付きの遮断器区画と、
前記ケーブル及び該ケーブルを接地する接地スイッチとを収納する扉付きのケーブル区画と、
前記遮断器区画の表面から前記接地スイッチのＯＮ／ＯＦＦ操作を可能にするスイッチ操作手段と、
前記遮断器区画の表面から前記引出型遮断器の遮断器本体の移動を可能にする引出操作手段と、
を有する配電盤の、前記遮断器区画と前記ケーブル区画との間に構成されるインターロック装置において、
前記遮断器本体が断路位置にあって、且つ、前記接地スイッチがＯＮ状態にあるときのみ、前記遮断器区画の扉の開放を可能にする遮断器区画扉インターロック機構と、
ロック状態において前記遮断器本体の断路位置からの移動を阻止するとともに前記接地スイッチのＯＦＦ操作を阻止するキーロック機構であって、前記ロック状態でのみキーの着脱が可能な遮断器区画キーロック機構と、
ロック状態において前記ケーブル区画の扉を閉鎖状態に維持するキーロック機構であって、該ロック状態でのみキーの着脱が可能なケーブル区画キーロック機構と、
を有し、
前記遮断器区画キーロック機構及び前記ケーブル区画キーロック機構は、該両キーロック機構にのみ利用可能な互いに共用される唯一の前記キーによって操作されることを特徴とする配電盤のインターロック装置。
【請求項２】
前記遮断器区画の扉が開放状態にあるとき前記接地スイッチのＯＦＦ操作を阻止する接地スイッチＯＦＦ阻止インターロック機構を有し、
前記遮断器区画キーロック機構は、ロック状態において前記遮断器区画の扉の閉鎖動作を阻止するキーロック機構であることを特徴とする請求項１の配電盤のインターロック装置。
【請求項３】
前記ケーブルに関して前記遮断器と反対側に前記外部電源装置が接続される前記配電盤のインターロック装置であって、
前記外部電源装置からの給電を阻止する給電阻止手段と、
ロック状態において前記給電阻止手段の給電阻止機能を維持するとともに、該ロック状態でのみ着脱が可能なキーを有する給電阻止手段キーロック機構と、
ロック状態において前記接地スイッチをＯＦＦに維持するとともに、該ロック状態でのみ着脱が可能なキーを有する前記遮断器区画に備えられる接地スイッチキーロック機構と、を含み、
給電阻止手段キーロック機構及び接地スイッチキーロック機構は、該両キーロック機構にのみ利用可能な互いに共用される唯一のキーによって操作されることを特徴とする、請求項１又は請求項２の配電盤のインターロック装置。
【請求項４】
前記給電阻止手段は励磁回路を有する発電機からなる前記外部電源装置の前記励磁回路のスイッチであって、前記給電阻止手段キーロック機構は前記励磁回路スイッチがＯＦＦの状態でのみキーの着脱が可能であることを特徴とする、請求項３の配電盤のインターロック装置。
【請求項５】
２系統の前記外部電源装置に対応するそれぞれの前記配電盤を備え、２系統の前記配電盤はともに前記導帯にそれぞれの前記外部電源装置が接続され、２系統の前記配電盤は互いに共通の前記ケーブルを有し、２系統の前記配電盤の前記遮断器をともにＯＮにすることによって２系統の前記外部電源装置からの並列給電を可能にした電路の２系統の前記配電盤のインターロック装置であって、
一方の系統の前記配電盤に対応する前記給電阻止手段は他方の系統の前記配電盤の前記遮断器本体の断路位置からの移動を阻止するロック機構であり、前記給電阻止手段キーロック機構は前記ロック機構のロック状態でのみキーの着脱が可能であることを特徴とする、請求項３の配電盤のインターロック装置
【発明の詳細な説明】
【技術分野】
【０００１】
本発明は、扉付の遮断器区画と扉付のケーブル区画とを有する配電盤の、前記ケーブル区画の点検を安全に行うためのインターロック装置に関する。
【背景技術】
【０００２】
配電盤、特に高圧の配電盤は、外部の電源装置に接続された導帯を収納する母線区画、外部の負荷装置に接続されるケーブルを収納するケーブル区画及びこれらの導帯とケーブルの間に接続された遮断器が収納された遮断器区画を有し、各区画は事故が発生したとき他の区画に影響が及ばないように鉄板などによって互いに隔離されているとともに、点検などのため各区画に扉が設けられる。  なお、外部の電源装置及び外部負荷装置は、上記とは逆に、それぞれ上記ケーブル及び導帯に接続される場合もある。
【０００３】
次に、遮断器区画について説明すると、一般的には、遮断器区画内には引出枠と遮断器本体からなる引出型遮断器が収納される。  この引出型遮断器の遮断器本体は、電源側端子、負荷側端子及びこの両端子の間に設けられる開閉接触子とを有し、引出枠内の接続位置と断路位置との間で直線的に移動が可能なように設けられる。  そして、遮断器本体が接続位置にあるときは、遮断器本体の電源側端子及び負荷側端子がそれぞれ引出枠の電源側端子及び負荷側端子と接触した状態にあり、断路位置にあるときは両端子が断路した状態にある。  なお、この遮断器は引出枠の電源側端子及び負荷側端子のいずれか一方が隔壁から母線区画に、他方がケーブル区画にそれぞれ突き出るように取り付けられ、それぞれの端子に前述した導帯及びケーブルが接続される。
【０００４】
次に、ケーブル区画について説明すると、ケーブル区画内には、外部電源装置による発生電圧及び外部回路に蓄積しているかもしれない残留電荷による電圧が印加される可能性がある。  このケーブル区画の内部を点検するとき、感電事故などを防止するためケーブル区画内を無電圧にしておく必要がある。  その方法として、まず、前述の導帯に接続される外部回路からの電圧の侵入を防止するため遮断器本体を断路位置にし、次に、前述のケーブルを含めケーブルに接続される外部回路の残留電荷を大地に放電するための接地スイッチを設ければよい。  なお、ケーブルに外部電源装置が接続されるときは、この電源装置からの給電を阻止しておく必要もある。  すなわち、遮断器本体を断路位置に移動させ、接地スイッチをＯＮにしなければケーブル区画の扉が開かないようなインターロック構成にしておけばよい。
【０００５】
このようなインターロック構成の従来の技術は、遮断器本体が断路位置にあるとき動作する位置スイッチを遮断器に設け、さらに、接地スイッチがＯＮのとき動作する補助スイッチを設け、両スイッチがＯＮになったときケーブル区画の扉の開操作を可能にするソレノイドバルブをケーブル区画に設置するような電気的なインターロック構成であった。
【０００６】
なお、遮断器本体を断路位置まで移動させるときの安全性も求められるが、この安全性を確保できる遮断器の構成の一例が特開平９−３２０４０８号公報に開示されている。  この公報に開示されている遮断器は次のような構成となっている。  すなわち、この遮断器は、１）引出枠の端子と本体の端子間が接触又は開離するとき両端子間にアークが発生することのないように、ＯＮ状態にある遮断器本体が接続位置と断路位置間を移動するときは、移動に先立って必ずＯＦＦ状態になるとともに、各位置の中間位置ではＯＮにすることできず、２）外部電源装置の電圧による感電防止のため、遮断器本体が断路位置でなければ配電盤（遮断器区画）の扉を開閉することができず、３）上述のアークの発生防止や感電防止のため、配電盤（遮断器区画）の扉を閉じなければ遮断器本体を移動させることができない。  また、接地スイッチをＯＮにするときは遮断器をＯＦＦにしておく必要があるが、特開平７−２４１００７号公報の従来の技術に関する記述には、遮断器本体を接続位置から断路位置に移動するまで接地スイッチをＯＮにできない構造のものが開示されている。
【特許文献１】特開平９−３２０４０８号公報
【特許文献２】特開平７−２４１００７号公報
【発明の開示】
【発明が解決しようとする課題】
【０００７】
しかし、前述した従来の電気的インターロック装置は、インターロック回路のヒューズが溶断したり短絡事故が発生したときインターロックが無効になることへの不安があった。
したがって、本願発明は、配電盤のケーブル区画内を安全に点検できる、構成の簡単な機械的なインターロック装置を提供することを目的とする。
【課題を解決するための手段】
【０００８】
上述のような課題を解決するために、請求項１の発明は、電路中の外部電源装置及び外部負荷装置のうちのいずれか一方の外部装置が接続される導帯を収納した母線区画と、導帯が接続される端子及び外部装置のうちのいずれか他方の外部装置に接続されるケーブルが接続される端子とを有する引出型遮断器を収納した扉付きの遮断器区画と、ケーブル及び該ケーブルを接地する接地スイッチとを収納する扉付きのケーブル区画と、遮断器区画の表面から接地スイッチのＯＮ／ＯＦＦ操作を可能にするスイッチ操作手段と、遮断器区画の表面から引出型遮断器の遮断器本体の移動を可能にする引出操作手段と、を有する配電盤の、遮断器区画とケーブル区画との間に構成されるインターロック装置において、遮断器本体が断路位置にあって、且つ、接地スイッチがＯＮ状態にあるときのみ、遮断器区画の扉の開放を可能にする遮断器区画扉インターロック機構と、ロック状態において遮断器本体の断路位置からの移動を阻止するとともに接地スイッチのＯＦＦ操作を阻止するキーロック機構であって、ロック状態でのみキーの着脱が可能な遮断器区画キーロック機構と、ロック状態においてケーブル区画の扉を閉鎖状態に維持するキーロック機構であって、該ロック状態でのみキーの着脱が可能なケーブル区画キーロック機構と、を有し、遮断器区画キーロック機構及びケーブル区画キーロック機構は、該両キーロック機構にのみ利用可能な互いに共用される唯一のキーによって操作されることとしている。
【０００９】
また、請求項２の発明は、請求項１の発明において、遮断器区画の扉が開放状態にあるとき接地スイッチのＯＦＦ操作を阻止する接地スイッチＯＦＦ阻止インターロック機構を有し、遮断器区画キーロック機構は、ロック状態において遮断器区画の扉の閉鎖動作を阻止するキーロック機構であることとしている。
【００１０】
さらに、請求項３の発明は、請求項１又は請求項２の発明において、ケーブルに関して遮断器と反対側に外部電源装置が接続される配電盤のインターロック装置であって、外部電源装置からの給電を阻止する給電阻止手段と、ロック状態において給電阻止手段の給電阻止機能を維持するとともに、該ロック状態でのみ着脱が可能なキーを有する給電阻止手段キーロック機構と、ロック状態において接地スイッチをＯＦＦに維持するとともに、該ロック状態でのみ着脱が可能なキーを有する遮断器区画に備えられる接地スイッチキーロック機構と、を含み、給電阻止手段キーロック機構及び接地スイッチキーロック機構は、該両キーロック機構にのみ利用可能な互いに共用される唯一のキーによって操作されることとしている。
【００１１】
また、請求項４の発明は、請求項３の発明において、給電阻止手段は励磁回路を有する発電機からなる外部電源装置の励磁回路のスイッチであって、給電阻止手段キーロック機構は励磁回路スイッチがＯＦＦの状態でのみキーの着脱が可能であることとしている。
【００１２】
また、請求項５の発明は、請求項３の発明において、２系統の外部電源装置に対応するそれぞれの配電盤を備え、２系統の配電盤はともに導帯にそれぞれの外部電源装置が接続され、２系統の配電盤は互いに共通のケーブルを有し、２系統の配電盤の遮断器をともにＯＮにすることによって２系統の外部電源装置からの並列給電を可能にした電路の２系統の配電盤のインターロック装置であって、一方の系統の配電盤に対応する給電阻止手段は他方の系統の配電盤の遮断器本体の断路位置からの移動を阻止するロック機構であり、給電阻止手段キーロック機構はロック機構のロック状態でのみキーの着脱が可能であることとしている。
【発明の効果】
【００１３】
請求項１の発明によれば、遮断器区画扉インターロック機構によって、遮断器区画の扉の開放が可能となったとき、遮断器本体が断路位置にあることにより、外部電源装置の電圧や電路の残留電荷による電圧が遮断器本体にも遮断器本体を介してケーブル区画にも加わることがない。  また、接地スイッチがＯＮになっていることにより、ケーブルに接続されている電路の残留電荷は放電され、ケーブル区画は無電圧の状態にある。  したがって、遮断器区画の扉を開放して遮断器区画キーロック機構をロックした状態でキーを取り外して、共用されるキーをケーブル区画キーロック機構に取り付けて扉を開放したときケーブル区画は無電圧状態にあり内部を安全に点検できる。
さらに、ケーブル区画内の点検が終わったときは、ケーブル区画の扉を閉じてロックしなければケーブル区画キーロック機構のキーを取り外せず、取り外したキーを遮断器区画キーロック機構に取り付けて扉を閉めなければ遮断器を接続位置に移動して給電できないため、双方の扉の閉め忘れによる危険が発生することはない。  すなわち、請求項1の発明によれば、キーロック機構を利用して機械的に遮断器区画とケーブル区画のインターロックを実現できるため、簡単な機構で安全な点検ができるという効果を奏する。
【００１４】
請求項２の発明は、請求項１の発明による効果のほかに、ケーブル区画の点検中、遮断器区画の扉が遮断器区画キーロック機構によって開放状態にロックされることとなっているため、対応するケーブル区画が点検中であることが配電盤の表面から明確に確認できるという効果を奏する。
【００１５】
請求項３の発明は、請求項１又は請求項２の発明の効果のほかに、外部電源装置がケーブルに接続されている配電盤において、外部電源装置からの給電の阻止状態でなければ接地スイッチをＯＮできず、接地スイッチがＯＮであるときは外部電源装置からの給電が阻止されるため、感電事故や短絡事故などが発生することを防止できるため安全性が確保されるという効果を奏する。  すなわち、接地スイッチをＯＮにするためには、キーを取り付けて接地スイッチキーロック機構をＯＮ可能な状態に切り換える必要がある。  このキーは給電阻止キーロック機構のキーと共用であるため、電源装置からケーブルへの給電を阻止したロック状態で給電阻止キーロック機構から取り外す必要がある。  したがって、接地スイッチをＯＮにするとき短絡が生じることはない。  また、ＯＮにした状態では接地スイッチキーロック機構からキーを取り外せないことによって、給電阻止キーロック機構をアンロック状態にすることができない。  このため、点検中に電源装置からケーブルに電圧が印加されることはない。
【００１６】
請求項４の発明は、請求項３の発明において、給電阻止手段キーロック機構は発電機の励磁回路スイッチをＯＦＦにした状態でロックできる構成とした機構としていることによって、外部電源装置をケーブルに接続する構成にしても安全性が確保できるという効果を奏する。  すなわち、母線区画の導帯に接続される外部負荷回路の残留電荷は遮断器本体が断路位置にあることによりケーブル区画に侵入しない。  また、ケーブルを含む外部電源回路の残留電荷は接地スイッチがＯＮであることにより放電されており、給電阻止手段キーロック機構により発電機の電圧発生も阻止される。
【００１７】
請求項５の発明は、請求項３の発明において、２系統の外部電源装置に対応して、外部電源装置が接続される母線区画、遮断器区画及びケーブル区画を有する２系統分の配電盤を有し、双方のケーブル区画のケーブルが共通である電路においてもこれらの配電盤のケーブル区画の点検の安全性が確保されるという効果を奏する。  例えば一方の系列の配電盤について説明すると、一方の系統のケーブル区画には、一方の系統の遮断器を介して該一方の系統の外部電源装置の電圧及び他方の系統の遮断器及び共通のケーブルを介して他方の系統の外部電源装置の電圧も印加される。  すなわち、請求項３に記載されている「ケーブルに関して遮断器と反対側に外部電源装置が接続された配電盤」とは、「（共通のケーブルに相当する）一方の系統のケーブルに関して一方の系統の遮断器と反対側に他方の系統の外部電源装置が接続された一方の系統の配電盤」のことであり、一方の系統の給電阻止手段キーロック機構は他方の系統の遮断器本体を断路位置位置でロックできる構成とした機構としている。  このような構成により、（共通のケーブルに相当する）一方の系統のケーブルに対する、該一方の系統の外部電源装置からの給電は該一方の系統の遮断器本体を断路位置にすることにより阻止されるとともに、他方の系統の外部電源装置からの給電は他方の系統の遮断器本体を断路位置にロックすることにより阻止される。  また、一方の系統の接地スイッチをＯＮにすることによりケーブル回路中の残留電荷も放電される。
【発明を実施するための最良の形態】
【００１８】
発明を実施するための最良の形態を、図１ないし図９に示されている実施例１において説明する。
まず、実施例１のインターロック装置が設けられた配電盤の概略構造について説明する。図２、図３及び図４を参照して、この配電盤は、正面側中間部に位置する遮断器区画１、上部に位置する低圧区画２、裏面側に位置するケーブル区画３、上部中央部に位置する母線区画４を有している。  これらの各区画は、事故が発生したとき他の区画に影響が及ばないように、遮断器区画１と低圧区画２の間は断面Ｌ字状の鉄板５、遮断器区画１とケーブル区画３及び母線区画４との間は鉄板６、ケーブル区画３と母線区画４との間は断面Ｌ字状の鉄板７によってそれぞれ隔離されており、遮断器区画１及びケーブル区画３にはそれぞれ扉１ａ及び扉３ａが設けられている。
各区画について簡単に説明すると、母線区画４には（外部電源装置たる）三相の発電機９に接続された三相分の導帯１０が収納され、ケーブル区画３には外部負荷装置１１に接続されたケーブル１２、ケーブル１２や外部負荷装置１１などの負荷回路に蓄積しているかもしれない残留電荷を大地に放電するための接地スイッチ１３及びこの接地スイッチ１３と後述する遮断器１４を接続する導体１５が収納されている。  また、遮断器区画１には、引出枠１６と遮断器本体１７を備えた引出型の遮断器１４が収納されている。  この引出枠１６はその底面及び背面においてそれぞれ遮断器区画１の底面の鉄板及び背面の鉄板６に固定されることによって接地されている。  また、引出枠１６の背面部には、鉄板６に形成された孔を挿通して母線区画４及びケーブル区画３内に突き出るように、それぞれ上側の端子１８及び下側の端子１９が設けられている。  この上側の端子１８は三相の接続導帯２０を介して導帯１０に接続され、下側の端子１９にはケーブル１２の一端が接続されている。
【００１９】
次に、上述した遮断器１４について説明する。  図５ないし図７を参照して、遮断器本体１７は、上側端子２１、下側端子２２及び図示のない開閉接触子を有し、引出枠１６内の接続位置、試験位置及び断路位置の間で直線的に移動が可能である。  図6に示されているように遮断器本体１７が最奥側に位置する接続位置にあるときは、遮断器本体１７の上側端子２１と下側端子２２がそれぞれ引出枠１６の上側の端子１８及び下側の端子１９と接触している。  この接続位置にあるときは、図示は省略されているが、引出枠１６と遮断器本体１７とに設けられた補助回路の端子も互いに接触している。  この接続位置から遮断器本体１７を引き出すと、補助回路だけが接触した試験位置となり、さらに引き出すと主回路も補助回路も断路し図６において鎖線で示されている断路位置となる。
引出枠１６には、遮断器本体１７の移動を案内するレール２３及び回転させることによって遮断器本体１７を移動させる引出操作シャフト２４を含む周知の引出操作装置が設けられている。  引出枠１６の下部には引出枠スペース２５が形成されており、引出枠スペース２５の前面は、互いに階段状につながった下部カバー２５ａと上部カバー２５ｂによってカバーされている。  引出操作シャフト２４は、引出枠スペース２５に収納されており、下部カバー２５ａに形成された孔２５ｃを挿通する着脱自在の図示のない操作ハンドルを装着して回転操作できる。  なお、上部カバー２５ｂは扉１ａによって覆われる位置にあるのに対して、下部カバー２５ａは扉１ａによって覆われない位置にあるため、所定の条件のもとで扉１ａが閉じた状態であっても遮断器本体１７の移動が可能である。
【００２０】
次に、上述した接地スイッチ１３について、図１及び図5ないし図８を参照して説明する。  接地スイッチ１３は、引出枠１６の背面に取り付けられ接地部位に接続されたスイッチ側端子３０、三相分の可動接触子杆３１、スイッチ側端子３０と可動接触子杆３１とを接続する図示されていない導体及び可動接触子杆３１と共に回転するクロスバー３２を含む接触子部分を備える。  この接触子部分には、さらに、可動接触子杆３１に対向するように取り付けられた盤側端子３３が含まれており、盤側端子３３は導体１５によって引出枠１６の下側の端子１９に接続されている。  この接地スイッチ１３は、接触子部分をＯＮ／ＯＦＦするために、クロスバー３２の端部に取り付けられた歯車３４と噛みあう歯車３５を奥側の端部に備えた接地スイッチ操作シャフト３６を有する。  接地スイッチ操作シャフト３６は、引出枠１６の引出枠スペース２５に収納されており、その前面側の端面に形成された軸方向の図８に示されている六角穴３６ａに六角柱の先端を有する図示されない操作ハンドルを、引出枠スペースの下部カバー２５ａに形成された孔２５ｄを挿通させて装着することによって回転操作できる。
【００２１】
すなわち、図１及び図８を参照して、図示のない操作ハンドルを装着して、接地スイッチ操作シャフト３６を図８（ロ）において略９０度反時計方向に回転させると、歯車３５、歯車３４を介して、可動接触子杆３１がクロスバー３２と共に回転し、図1（ロ）に示すごとく盤側端子３３と接触したＯＮの状態となる。  接地スイッチ操作シャフト３６を逆方向に回転させるとＯＦＦになる。
なお、この接地スイッチ１３と前述の遮断器１４との間には、図示と詳細説明は省略するが、遮断器本体１７が断路位置以外の位置では接地スイッチ１３をＯＮにすることを阻止し、且つ、接地スイッチ１３がＯＮ状態にあるとき遮断器本体１７の移動を阻止するインターロック機構が形成されている。
【００２２】
次に、実施例１に含まれる本発明の意図するインターロック作用を実現するための種々のインターロック機構やキーロック機構について説明する。  すなわち、この実施例１には、上述の接地スイッチ１３がＯＦＦ状態のとき遮断器区画の扉１ａの開放を阻止する遮断器区画扉インターロック機構、  接地スイッチ１３をＯＮにして扉１ａを開いた状態で接地スイッチ１３をＯＦＦに戻すことを阻止する接地スイッチＯＦＦ阻止インターロック機構、  扉１ａを開放状態に維持する、すなわち、ケーブル区画内を無電圧に維持するための遮断器区画キーロック機構  及び遮断器区画の扉１ａが開いた状態でのみケーブル区画の扉３ａの開放を可能にするケーブル区画キーロック機構を含んでいる。
【００２３】
まず、遮断器区画扉インターロック機構は、図８を参照して、接地スイッチ操作シャフト３６の先端部近傍に軸方向に直交するように取り付けられた円柱状のロックピン４０と扉１ａの内側取り付けられたロックプレート４１を備える。  図５を参照して、ロックプレート４１は、扉１ａの開閉に応じて引出枠スペースの上部カバー２５ｂに形成されたロックプレート用孔２５ｅを挿通して接地スイッチの内部に入り込むことができる。  このロックプレート４１の端部にはロック係合端４１ａが形成されており、接地スイッチ１３がＯＦＦ状態のとき扉１ａを開放する操作を行うと、図８（イ）において鎖線で示されているロック係合端４１ａがロックピン４０と係合し開放が阻止される。  また、接地スイッチ操作シャフト３６を回転させて接地スイッチ１３をＯＮにすると、ロックピン４０が、鎖線で示すごとく、ロック係合端４１ａと係合しない位置に移動する。  したがって、接地スイッチ１３がＯＦＦの状態では扉１ａを開けることができず、ＯＮにすれば開けることができる。
【００２４】
次に、接地スイッチＯＦＦ阻止インターロック機構は、図８を参照して、シャッタ面４２ａと腕４２ｂを有する第１シャッタ４２と、ロックプレート４１の中間部に形成された斜縁４１ｂとから構成される。  第１シャッタ４２は、シャッタ面４２が接地スイッチ操作シャフト３６の六角穴３６ａを塞ぐ位置に移動可能なように、引出枠スペース上部カバー２５ｂの内側に回転自在に取り付けられている。  この第１シャッタ４２は、扉１ａの閉鎖状態において、その腕４２ｂ（図８（イ）では（ロ）のＸ−Ｘにおける断面で示されている。）がロックプレート４１の斜縁４１ｂ（図８（ロ）では（イ）のＹ−Ｙにおける断面で示されている。）と係合して、シャッタ面４２が接地スイッチ操作シャフト３６の六角穴３６ａを塞がない位置にあるため、接地スイッチ１３をＯＮにすることができる。  接地スイッチ１３をＯＮにして扉１ａを開けるとロックプレート４１が扉１ａと共に回転し、その斜縁４１ｂとの係合が解消して第１シャッタ４２が反時計方向に回転し、図８（ロ）において鎖線で示されているごとく接地スイッチ操作シャフト３６の六角穴３６ａを塞ぐ位置に移動するため、接地スイッチ１３をＯＦＦにできない。  なお、扉１ａを閉じるとロックプレート４１の斜縁４１ｂが第１シャッタ４２を時計方向に回転させて接地スイッチ操作シャフト３６の六角穴の前面から退避し、接地スイッチ１３をＯＦＦにすることができる。
【００２５】
次に、遮断器区画キーロック機構は、図１を参照して、遮断器区画の内部に取り付けられたキーロック本体３７とキー３８とからなり、扉１ａを開放してキー３８をロック位置に回転させたときロックピン３９が扉１ａ方向に突き出て扉１ａの閉鎖を阻止する。  このキー３８はロック位置にあるときだけ着脱が可能な構成となっているため、図1（ロ）に示すごとくキー３８を取り外せば扉１ａを閉鎖できない。  すなわち、キー３８が取り外されている状態では接地スイッチ１３をＯＦＦにできない。
【００２６】
次に、ケーブル区画キーロック機構は、図９を参照して、ケーブル区画の扉３ａの内側に取り付けられたキーロック本体６０、扉３ａが閉じられている状態でキーロック本体６０と密接するようにケーブル区画３の側板に取り付けられたピンブロック６１、ロックピン６２及びキーとを有する。  図９（イ）において、このケーブル区画キーロック機構は、扉３ａを閉じてキーをロック位置に回転させてロックピン６２がピンブロック６１に形成されている凹部にはまり込んで扉３ａを開放できない状態でのみキーの着脱が可能な構造になっている。  しかし、扉３ａが開放状態にあるときはキーをロック位置に回転できないようになっているため、キーを取り外せない構造になっている。  すなわち、キーロック本体６０には係合状態においてキーの回転を可能にする図示されないラッチ機構が含まれており、このラッチ機構はピンブロック６１のピン６３がキーロック本体６０に挿入されている状態でのみ係合状態にある。  このため、図９（ハ）において、扉３ａが開放され、ピン６３がキーロック本体６０から離脱した状態ではキーをロック位置に回転することができない。  なお、このケーブル区画キーロック機構のキーを遮断器区画キーロック機構のキー３８と共用とし、ただ一つしか用意されていないため、遮断器区画の扉１ａを閉鎖した状態でケーブル区画の扉３ａを開放することはできない。
【００２７】
以上のような構成の実施例1のインターロック装置の動作について説明する。  ケーブル区画３の内部を点検するときは、まず、遮断器本体１７をＯＦＦにして接続位置から断路位置まで移動する。  この状態では接地スイッチ１３がＯＦＦであるため、遮断器区画扉インターロック機構の機能により遮断器区画の扉１ａを開けることはできない。  次に、操作ハンドルを接地スイッチ操作シャフト３６に装着して回転させると接地スイッチ１３がＯＮになりケーブル区画３の内部が無電圧となる。  次に、操作ハンドルを取り外して扉１ａを開放状態にすると接地スイッチＯＦＦ阻止インターロック機構により接地スイッチ１３を再びＯＦＦにすることができない。  次に、遮断器区画キーロック機構のキー３８をロック位置に回転し抜き取ると、扉１ａの開放状態が維持されケーブル区画３の内部の無電圧状態が維持される。  次に、取り外したキー３８をケーブル区画キーロック機構に取り付けてアンロック位置に回転しケーブル区画の扉３ａを開放して内部を点検する。  点検後、扉３ａを閉鎖してキー３８をロック位置に回転し、ケーブル区画キーロック機構から取り外して遮断器区画キーロック機構に取り付ける。  次に、遮断器区画キーロック機構に取り付けたキー３８をアンロック位置に回転し扉１ａを閉じ、接地スイッチ１３をＯＦＦにして、遮断器本体１７を接続位置に移動させると給電を再開できる。  なお、このとき、ケーブル区画の扉３ａが開放状態にあってはキー３８を取り外せないため、扉３ａの開放状態において扉１ａが閉じられることはないため安全である。
【００２８】
次に、本発明のインタロック装置の実施例２を、図１０及び図１１を参照して説明する。なお、実施例１の構成と本質的に同等である構成については同一の符号を付して説明する。実施例２のインターロック装置は、外部電源装置が励磁回路を有する発電機９であって、発電機９の出力がケーブル１２を介して引出枠１６の下側の端子１９に接続され、外部負荷装置１１が導帯１０に接続されている回路に使用される配電盤に備えられるものである。
【００２９】
まず、この実施例２のインターロック装置を備えた配電盤において、ケーブル区画３の内部を安全に点検するためには、少なくとも次の３点を満足する必要がある。
第１点は、負荷回路に蓄積されているかもしれない残留電荷がケーブル区画３の内部に侵入しないようにしておく必要がある。
第2点は、発電機９やケーブル１２に蓄積されているかもしれない残留電荷を大地に放電しておく必要がある。
第３点は、接地スイッチ１３をＯＮにする前に発電機９からの給電を阻止しておく必要があるとともに、点検中に発電機９から給電されないようにしておく必要がある。
【００３０】
上述の第１点及び第2点を満足するためには、点検中、遮断器本体１７を断路位置に保持するとともに、接地スイッチ１３をＯＮにしておけばよい。  したがって、実施例２では、前述した実施例１と同様なインターロック装置に、第３点の条件を満足するようなインターロック機構を付加した構成としている。
すなわち、第３点の条件を満足する構成として二つのキーロック機構が設けられている。一つ目は、「特許請求の範囲」における給電阻止手段キーロック機構に相当するキーロック機構であって、発電機９の励磁回路を開閉する励磁スイッチをＯＦＦにした状態でロックできる、図示されていない励磁回路キーロック機構である。  この励磁回路キーロック機構は、詳細説明は省略するが、励磁スイッチをＯＦＦにロックした状態でのみキーの着脱が可能な構成となっている。
【００３１】
二つ目は、接地スイッチ１３のＯＮ操作を阻止する接地スイッチキーロック機構である。図１１を参照して、この接地スイッチキーロック機構について説明する。  接地スイッチキーロック機構は、引出枠スペースの下部カバー２５ａ内側に取り付けられているキーロック本体４３、図示されていないガイド手段によって左右方向にスライド自在の第２シャッタ４４、キーロック本体４３と第２シャッタ４４とを連結して図示されていないキーの回転に応じて第２シャッタ４４をスライドさせるレバー４５、接地スイッチ１３がＯＮ状態のとき第２シャッタ４４が接地スイッチ操作シャフト３６の六角穴３６ａの前面に移動することを阻止するストッパ４６を備える。
キーロック本体４３のキーは遮断器区画の扉１ａが閉じられている状態であってもキー操作が可能であって、接地スイッチ１３がＯＦＦの状態にあるときこのロック機構がロック状態にあり、このロック状態においてのみキーの着脱が可能な構造となっている。  図１１において鎖線で示されている状態はロック状態であって、第２シャッタ４４が接地スイッチ操作シャフト３６の六角穴３６ａの前面を覆っている。  この状態において、キーを取り付けてアンロック位置に回転すると、図１１において実線で示したごとく、第２シャッタ４４は右方向にスライドし接地スイッチ１３をＯＮにできる。  ＯＮにすると、接地スイッチ操作シャフト３６に取り付けられた実線で示されているストッパ４６によって第２シャッタ４４の左方向への移動が阻止される。  すなわち、このアンロック位置において、接地スイッチのＯＮ、ＯＦＦ操作は自在であるとともに、この状態ではキーを取り外すことができない。  なお、このキーは励磁回路キーロック装置のキーと共用であってただ一つ用意されているが、前述の遮断器区画キーロック機構やケーブル区画キーロック機構のキー３８とは共用ではない。
【００３２】
このような実施例２のインターロック装置を備えた配電盤のケーブル区画３の内部を点検するときは、発電機９の励磁回路スイッチをＯＦＦにして励磁回路キーロック機構のキーを取り外す。  次に、遮断器本体１７を断路位置まで移動させて、取り外した励磁回路キーロック機構のキーをロック状態にあるキーロック本体４３に取り付けてアンロック位置方向に回転させ、操作ハンドルを取り付けて実施例1と同様に接地スイッチ１３をＯＮにする。この後の動作は実施例１と同様である。
【００３３】
次に、本発明のインタロック装置の実施例３を、図１２ないし図１４を参照して説明する。  なお、実施例３のインターロック装置は、それぞれ発電機と外部負荷装置と実施例１の配電盤とを含む２系例の電路に用いられるものであって、以下の説明においてこれらの系列を区別して説明する必要のある場合は、一方の系列に符合「Ａ」を付し、他方の系列に符合「Ｂ」を付する。
【００３４】
図１２を参照して、一方の系列は、発電機９Ａ、スイッチ７０Ａを含む母線１０Ａ、共に母線１０Ａに接続されている実施例１で説明した外部負荷装置への給電用の配電盤７１Ａおよび後述する母線連結用の配電盤７１ＡＴを有する。  なお、以下に説明するごとく、母線連絡用の配電盤７１ＡＴは負荷装置用の配電盤７１Ａと本質的に同一構成であるため、構成部材などの符合は、配電盤７１Ａの各符号に「Ｔ」を付して区別する。  配電盤７１Ａは実施例１において説明した配電盤であり、ケーブル１２Ａには外部負荷装置１１Ａが接続されている。  また、配電盤７１ＡＴは、配電盤７１Ａと同様な互いに隔離された遮断器区画１ＡＴ、低圧区画２ＡＴ、ケーブル区画３ＡＴ及び母線区画４ＡＴを有するとともに、遮断器１４ＡＴ、接地スイッチ１３ＡＴ、ケーブル１２ＡＴなども有する。  他方の系列にもこの一方の系列と同様に、発電機９Ｂ、スイッチ７０Ｂ、負荷装置用の配電盤７１Ｂ及び母線連結用の配電盤７１ＢＴが設けられいる。  なお、一方の系列のケーブル１２ＡＴと他方の系列のケーブル１２ＢＴは共通のケーブルであって負荷装置用の配電盤７１Ｂと母線連結用の配電盤７１ＢＴとは常時接続されているとともに、両系列の配電盤７１Ａ、配電盤７１ＡＴ、配電盤７１Ｂ及び配電盤７１ＢＴは並べて設置されている。
【００３５】
このような配電盤群は例えば次のように用いられる。  すなわち、全ての発電機から給電され、全ての外部負荷装置が駆動しているときは、スイッチ７０Ａ、７０ＢがＯＮ状態であり、遮断器１４Ａ、１４ＡＴ、１４Ｂ、１４ＢＴはＯＮ状態であり、接地スイッチ１３Ａ、１３ＡＴ、１３Ｂ、１３ＢＴはＯＦＦ状態である。  この状態のほか、例えば外部負荷装置１１Ａと外部負荷装置１１Ｂの駆動容量の総和が小さくなったときは、例えばスイッチ７０ＢをＯＦＦにして発電機７０Ｂを停止し、両外部負荷装置に発電機９Ａのみから給電させることができる。
【００３６】
この実施例３のインターロック装置は、上述の母線連結用配電盤７１ＡＴ及び母線連結用配電盤７１ＢＴのそれぞれケーブル区画３ＡＴ及びケーブル区画３ＢＴの内部を安全に点検するために設けられたものであって、以下、母線連結用配電盤７１ＡＴのケーブル区画３ＡＴを点検する場合について説明する。  この点検のためには少なくとも次の３点を満足する必要がある。
第１点は、一方の系統の発電機９Ａからの出力が一方の系統のケーブル区画３ＡＴに入り込まないようにする必要がある。
第２点は、共通のケーブル１２ＡＴ、１２ＢＴに蓄積されているかもしれない残留電荷を大地に放電しておく必要がある。
第３点は、他方の系統の発電機９Ｂの出力が、共通のケーブル１２ＢＴ、１２ＡＴを経由して一方の系統のケーブル区画３ＡＴに入り込まないようにする必要がある。
【００３７】
上述の第１点及び第2点を満足するためには、点検中、一方の系統の遮断器本体１７ＡＴを断路位置に保持するとともに、一方の系統の接地スイッチ１３ＡＴをＯＮにしておけばよい。  したがって、実施例３では、前述した実施例１と同様なインターロック装置に、第３点の条件を満足するようなインターロック機構を付加した構成としている。
すなわち、第３点の条件を満足させる構成として、二つのキーロック機構が付加される。
一つ目は、給電阻止手段キーロック機構に相当するキーロック機構であって、他方の系統の発電機９Ｂからケーブル１２ＢＴへの給電を防止するため、他方の系統の遮断器本体１７ＢＴを断路位置においてロックする遮断器本体移動阻止キーロック機構である。
二つ目は、実施例２において用いられている図１１に示されている接地スイッチキーロック機構と同一のものである。
【００３８】
図１３及び図１４を参照して、この他方の系統の母線連結用の配電盤７１ＢＴの遮断器本体移動阻止キーロック機構について説明する。  なお、図１３及び図１４並びにこの説明において、符合に付する「Ａ」、「Ｂ」、「Ｔ」などの文字の表記を省略する。  遮断器本体移動阻止キーロック機構は、遮断器本体の移動に追随して平行に移動するバー４７、バー４７Ｔの先端部に形成された切欠き４７ａ、引出枠スペースの下部カバー２５ａに取り付けられたキーロック本体４８、図示されていないキーの回転に応じて回転するレバー４９、バー４７と同軸上に位置し下部カバー２５ａに設けられた可動ブッシング５０、可動ブッシング５０をスライド自在に保持するフレーム５１、可動ブッシング５０をバー４７方向に付勢するばね５２を備える。
【００３９】
可動ブッシング５０は段付形状であり、図１３（イ）を参照して、遮断器本体１７Ｂが断路位置以外にあるときは、先端部５０ａがフレーム５１から突き出してバー４７と離間して対向する位置にある。  この位置において、遮断器本体移動阻止キーロック機構のキーロック本体４８のキーをロック位置方向に回転させたとき、図１３（ロ）に示すごとく、レバー４９が可動ブッシングの先端部５０ａと当接しロック位置まで回転しない。  遮断器本体１７Ｂを断路位置まで移動させると、バー４７の先端部によって可動ブッシングの先端部５０ａがフレーム５１内に退避する。  この状態でキーをロック位置方向に回転させると、図１４に示すごとく、レバー４９がバー４７の切欠き４７ａに嵌まり込みロック位置まで回転する。  このロック位置にあっては、レバー４９とバー４７の切欠き４７ａが係合可能であるため遮断器本体１７Ｂを断路位置以外の位置に移動させることができない。
【００４０】
この他方の系統の母線連結用の配電盤７１ＢＴの遮断器本体移動阻止キーロック機構のキーロック本体４８ＢＴのキーは、遮断器区画１ＢＴの扉１ａＴが閉じられている状態であってもキー操作が可能であって、ロック状態のときのみキーの着脱が可能な構造となっている。  さらに、この他方の系統の母線連結用の配電盤７１ＢＴの遮断器本体移動阻止キーロック機構のキーは、ただ一つ用意されており、一方の系統の母線連結用の配電盤７１ＡＴの接地スイッチ１３ＡＴに設けられた接地スイッチキーロック機構のキーと共用であるが、他のいかなるキーロック機構のキーとも共用ではない。
【００４１】
このような実施例３のインターロック装置を備えた配電盤の一方の系統の母線連結用の配電盤７１ＡＴのケーブル区画３ＡＴの内部を点検するときは、双方の系統の遮断器本体１７ＡＴ及び遮断器本体１７ＢＴをＯＦＦにして断路位置まで移動させる。  そして、他方の系統の遮断器１４ＢＴの遮断器本体移動阻止キーロック機構のキーロック本体４８ＢＴのキーをロック位置に回転しキーを取り外す。  次に、取り外したキーを一方の系統の接地スイッチ１３ＡＴの接地スイッチキーロック機構のキーロック本体４３ＡＴに取り付けてアンロック位置に回転させ、操作ハンドルを取り付けて実施例1と同様に一方の系統の接地スイッチ１３ＡＴをＯＮにする。この後の動作は実施例１と同様である。
【００４２】
以上の実施例３の説明は、一方の系統の母線連結用の配電盤７１ＡＴのケーブル区画３ＡＴの内部を点検する場合の構成について説明したが、他方の系統の母線連結用の配電盤７１ＢＴのケーブル区画３ＢＴも、同様な方法で安全に点検できる。
【図面の簡単な説明】
【００４３】
【図１】本発明による配電盤のインターロック装置の実施例1の遮断器区画キーロック機構を説明する図であって、（イ）アンロック状態及び（ロ）ロック状態を示す平面図である。
【図２】図1のインターロック装置を備えた配電盤の回路図である。
【図３】図２の配電盤の概略側面図である。
【図４】図３の正面図である。
【図５】図２の配電盤に収納されている遮断器及び接地スイッチの正面図である。
【図６】図５の側面図である。
【図７】図５の背面図である。
【図８】図1の実施例1の遮断器区画扉インターロック機構及び接地スイッチＯＦＦ阻止インターロック機構を説明する（イ）平面図及び（ロ）正面図である。
【図９】図２の配電盤のケーブル区画に備えられたケーブル区画キーロック機構を説明する図であって、（イ）ロック状態、（ロ）アンロック状態及び（ハ）扉開放状態を示す平面図である。
【図１０】本発明による配電盤のインターロック装置の実施例２を備えた配電盤の回路図である。
【図１１】図１０の実施例の接地スイッチキーロック機構を説明する（イ）平面図及び（ロ）正面図である。
【図１２】本発明による配電盤のインターロック装置の実施例３を備えた配電盤の回路図である。
【図１３】図１２の実施例の遮断器本体移動阻止キーロック機構のアンロック状態を説明する（イ）平面図及び（ロ）正面図である。
【図１４】図１２の実施例の遮断器本体移動阻止キーロック機構のロック状態を説明する（イ）平面図及び（ロ）正面図である。
【符号の説明】
【００４４】
１  遮断器区画、１ａ  扉
３  ケーブル区画、３ａ  扉
９  発電機
１０  導帯
１１  外部負荷装置
１２  ケーブル
１３  接地スイッチ
１４  遮断器
１６  引出枠
１７  遮断器本体
２４  引出操作シャフト
２５  引出枠スペース、２５ａ  下部カバー、２５ｂ  上部カバー、２５ｃ  孔、２５ｄ  孔、２５ｅ  孔
３０  スイッチ側端子
３１  可動接触子杆
３２  クロスバー
３３  盤側端子
３６  接地スイッチ操作シャフト、３６ａ  六角穴
３７  キーロック本体
３８  キー
４１  ロックプレート、４１ａ  ロック係合端、４１ｂ  斜縁
４２  第１シャッタ、４２ａ  シャッタ面、４２ｂ  腕
４３  キーロック本体
４４  第２シャッタ
４５  レバー
４６  ストッパ
４７  バー、４７ａ  切欠き
４８  キーロック本体
４９  レバー
５０  可動ブッシング、５０ａ  先端部
５１  フレーム
５２  ばね
６０  キーロック本体
６１  ピンブロック
６２  ロックピン
６３  ピン
７１  配電盤
【図１】
2006149043.tif 000003
【図２】
2006149043.tif 000004
【図３】
2006149043.tif 000005
【図４】
2006149043.tif 000006
【図５】
2006149043.tif 000007
【図６】
2006149043.tif 000008
【図７】
2006149043.tif 000009
【図８】
2006149043.tif 000010
【図９】
2006149043.tif 000011
【図１０】
2006149043.tif 000012
【図１１】
2006149043.tif 000013
【図１２】
2006149043.tif 000014
【図１３】
2006149043.tif 000015
【図１４】
2006149043.tif 000016